(57)【要約】      （修正有）【課題】ローディングユニットの移動可能な部品を維持するように構成されているシッピング部材を提供する。【解決手段】シッピング部材は、ステープル保持表面１１２を含む基材１１０と、基材から近位方向に延びている環状延長１２０であって、環状延長は、第１および第２のアーム１３０、１４０と、射出ポスト１５０とを含み、第１および第２のアームの各々は、そこから突出しているスナップ特徴１３２、１４２を含む、環状延長と、基材から近位方向に延びている第１のレッグ１６０および第２のレッグと、から構成され、第１および第２のレッグは、各々、そこから突出している半径方向に内方に延びているタブ１６４、１７４を含む。【選択図】図７
2015128582.tif 000002
【特許請求の範囲】
【請求項１】
シッピング部材であって、該シッピング部材は、
ステープル保持表面を含む基材と、
該基材から近位方向に延びている環状延長であって、該環状延長は、第１および第２のアームと、射出ポストとを含み、該第１および第２のアームの各々は、そこから突出しているスナップ特徴を含む、環状延長と、
該基材から近位方向に延びている第１および第２のレッグと
を含み、該第１および第２のレッグは、各々、そこから突出している半径方向に内方に延びているタブを含む、シッピング部材。
【請求項２】
前記第１および第２のレッグは、前記環状延長から半径方向に間隔が空けられている、請求項１に記載のシッピング部材。
【請求項３】
前記第１および第２のレッグは、前記環状延長と一体的に形成されている、請求項１に記載のシッピング部材。
【請求項４】
前記ステープル保持表面は、前記環状延長と前記第１および第２のレッグとの間に配置されている、請求項２に記載のシッピング部材。
【請求項５】
前記ステープル保持表面は、前記第１および第２のレッグの半径方向に外方に配置されている、請求項３に記載のシッピング部材。
【請求項６】
前記ステープル保持表面は、環状である、請求項１に記載のシッピング部材。
【請求項７】
前記第１および第２のアームの前記スナップ特徴は、半径方向に内方に延びている、請求項１に記載のシッピング部材。
【請求項８】
前記基材は、円錐形の形状を含む、請求項１に記載のシッピング部材。
【請求項９】
前記基材は、その中に形成されているスルーホールを含む、請求項８に記載のシッピング部材。
【請求項１０】
前記第１および第２のレッグの前記タブは、平らな近位方向に向いている表面と傾斜のある遠位方向に向いている表面とを含む、請求項１に記載のシッピング部材。
【請求項１１】
ローディングユニットであって、該ローディングユニットは、
ハウジングと、
該ハウジング内に動作可能に保持されているステープルプッシャーアセンブリと、
該ハウジング内に動作可能に保持されているナイフアセンブリと、
該ハウジングの遠位端に配置されているカートリッジアセンブリであって、該カートリッジアセンブリは、複数のステープルを含む、カートリッジアセンブリと、
該ハウジングに選択的に係合されているシッピング部材と
を含み、該シッピング部材は、
該複数のステープルを該ステープルカートリッジ内に維持するための該ステープルカートリッジに隣接して配置されている内側表面と、
該ナイフアセンブリを選択的に係合するように構成されている環状延長であって、該環状延長は、第１および第２のアームを含み、該第１および第２のアームは、該ハウジングを摩擦で係合するように構成されている、環状延長と、
第１および第２のレッグと
を含み、該第１および第２のレッグは、各々、そこから延びているタブを含み、該タブは、該ステープルプッシャーアセンブリを選択的に係合するように構成されている、ローディングユニット。
【請求項１２】
前記第１および第２のレッグの前記タブは、平らな近位方向に向いている表面を含み、該平らな近位方向に向いている表面は、前記ステープルプッシャーアセンブリを選択的に係合するように構成されている、請求項１１に記載のローディングユニット。
【請求項１３】
前記ハウジングは、複数の開口部を規定する外側円筒形部分を含む、請求項１２に記載のローディングユニット。
【請求項１４】
前記シッピング部材の前記第１および第２のレッグの前記タブは、前記外側円筒形部分における前記開口部を通した受け取りのために構成されている、請求項１３に記載のローディングユニット。
【請求項１５】
前記延長の前記第１および第２のアームは、各々、スナップ特徴を含み、該スナップ特徴は、前記ハウジングの内側円筒形部分上に形成されているリッジを係合するように構成されている、請求項１１に記載のローディングユニット。
【請求項１６】
前記環状延長は、射出ポストをさらに含み、該射出ポストは、近位方向に向いている表面を含む、請求項１５に記載のローディングユニット。
【発明の詳細な説明】
【技術分野】
【０００１】
背景
技術分野
本開示は、交換可能なローディングユニットを含む外科手術ステープル留めデバイスに関する。より詳しくは、本開示は、ローディングユニットへの選択的な取り付けのためのシッピング部材に関する。
【背景技術】
【０００２】
関連技術の背景
外科手術締め具を組織に適用するための外科手術デバイスは、周知である。ステープル、クリップ、または他の締め具を適用するための内視鏡外科手術デバイスは、作動ユニット（すなわち、デバイスを作動させるためのハンドルアセンブリ、および内視鏡アクセスのためのシャフト）と、シャフトの遠位端に配置されているツールアセンブリとを含む。これらのデバイスのうちの特定のものは、交換可能なローディングユニットとともに使用するために設計され、この交換可能なローディングユニットは、ツールアセンブリを含み、ステープルまたは締め具を収容する。交換可能なローディングユニットは、様々なサイズのステープルを含み得、ステープルは、１つ以上の構成で配置され得る。交換可能なローディングユニットを有するステープラーの発射後、ユーザーは、空のローディングユニットを取り除き得、同じかまたは異なるサイズのステープル、および同じかまたは異なるステープル配置を有する別のローディングユニットを選択して、ステープラーに取り付け得、ステープラーを再び発射し得る。このプロセスは、外科手術手順中、繰り返し実施され得る。
【０００３】
多くのローディングユニットは、代表的に、ステープルカートリッジと、ステープルプッシャーアセンブリと、必要に応じて、ナイフアセンブリとを含む。ナイフアセンブリを含むローディングユニットは、各ローディングユニットごとに新しいナイフを提供する利益を有する。ステープルプッシャーアセンブリおよびナイフアセンブリは、一般に、１つ以上の移動可能な部品を含み、１つ以上の移動可能な部品は、作動ユニットの１つ以上の駆動部材を係合するように位置決めされている。移動する部品が、作動ユニットへのローディングユニットの取り付け前、および取り付け中に適切な位置に適切に保持されていない場合、ローディングユニットは、作動ユニットを適切に係合しない場合があり、従って、適切に機能しない場合がある。いくつかのローディングユニットは、自動係止システムを備え、この自動係止システムは、作動ユニットへのローディングユニットの取り付け前、ローディングユニットの構成要素の移動を妨げ、一旦ローディングユニットが作動ユニットに適切に位置決めされると、ローディングユニットの移動可能な部品の自由な移動を可能にする。しかし、これらの自動係止システムは、ローディングユニットの作動前、ステープルカートリッジ内にステープルを保持することを取り扱わない。さらに、これらの自動係止システムは、組織内でのローディングユニットの位置決めを容易にするように構成されていない。
【０００４】
従って、ローディングユニットの移動可能な部品を維持するように構成されているシッピング部材を有することは有益である。シッピング部材が、ステープルをステープルカートリッジ内に維持するように働き、および／または組織内でのローディングユニットの位置決めを容易にする場合、さらに有益である。
【発明の概要】
【課題を解決するための手段】
【０００５】
概要
従って、シッピング部材が提供される。シッピング部材は、ステープル保持表面を有する基材と、基材から近位方向に延びている環状延長であって、この環状延長は、第１および第２のアームと、射出ポストとを含む、環状延長と、基材から近位方向に延びている第１および第２のレッグとを含み、第１および第２のレッグは、各々、そこから突出している半径方向に内方に延びているタブを含む。第１および第２のアームの各々は、そこから突出しているスナップ特徴を含む。
【０００６】
１つの実施形態において、第１および第２のレッグは、環状延長から半径方向に間隔が空けられている。従って、ステープル保持表面は、環状延長と第１および第２のレッグとの間に配置されている。あるいは、第１および第２のレッグは、環状延長と一体的に形成され得る。この態様において、ステープル保持表面は、第１および第２のレッグの半径方向に外方に配置されている。ステープル保持表面は、環状であり得る。第１および第２のアームのスナップ特徴は、半径方向に内方に延び得る。基材は、円錐形の形状を含み得る。基材は、その中に形成されているスルーホールを含み得る。第１および第２のレッグのタブは、平らな近位方向に向いている表面と傾斜のある遠位方向に向いている表面とを含み得る。
【０００７】
ローディングユニットも提供され、このローディングユニットは、ハウジングと、ハウジング内に動作可能に保持されているステープルプッシャーアセンブリと、ハウジング内に動作可能に保持されているナイフアセンブリと、ハウジングの遠位端に配置されているカートリッジアセンブリであって、このカートリッジアセンブリは、複数のステープルを含む、カートリッジアセンブリと、ハウジングに選択的に係合されているシッピング部材とを含む。シッピング部材は、複数のステープルをステープルカートリッジ内に維持するためのステープルカートリッジに隣接して配置されている内側表面と、ナイフアセンブリを選択的に係合するように構成されている環状延長であって、この環状延長は、第１および第２のアームを含み、第１および第２のアームは、ハウジングを摩擦で係合するように構成されている、環状延長と、第１および第２のレッグとを含み得、第１および第２のレッグは、各々、そこから延びているタブを含み、このタブは、ステープルプッシャーアセンブリを選択的に係合するように構成されている。
【０００８】
実施形態において、第１および第２のレッグのタブは、平らな近位方向に向いている表面を含み得、この平らな近位方向に向いている表面は、ステープルプッシャーアセンブリを選択的に係合するように構成されている。ハウジングは、複数の開口部を規定する外側円筒形部分を含み得る。シッピング部材の第１および第２のレッグのタブは、外側円筒形部分における開口部を通した受け取りのために構成され得る。延長の第１および第２のアームは、各々、スナップ特徴を含み得、このスナップ特徴は、ハウジングの内側円筒形部分上に形成されているリッジを係合するように構成されている。環状延長は、射出ポストをさらに含み得、この射出ポストは、近位方向に向いている表面を含む。
【０００９】
本発明は、例えば以下の項目を提供する。
（項目１）
シッピング部材であって、該シッピング部材は、
ステープル保持表面を含む基材と、
該基材から近位方向に延びている環状延長であって、該環状延長は、第１および第２のアームと、射出ポストとを含み、該第１および第２のアームの各々は、そこから突出しているスナップ特徴を含む、環状延長と、
該基材から近位方向に延びている第１および第２のレッグと
を含み、該第１および第２のレッグは、各々、そこから突出している半径方向に内方に延びているタブを含む、シッピング部材。
（項目２）
上記第１および第２のレッグは、上記環状延長から半径方向に間隔が空けられている、上記項目に記載のシッピング部材。
（項目３）
上記第１および第２のレッグは、上記環状延長と一体的に形成されている、上記項目のうちのいずれか一項に記載のシッピング部材。
（項目４）
上記ステープル保持表面は、上記環状延長と上記第１および第２のレッグとの間に配置されている、上記項目のうちのいずれか一項に記載のシッピング部材。
（項目５）
上記ステープル保持表面は、上記第１および第２のレッグの半径方向に外方に配置されている、上記項目のうちのいずれか一項に記載のシッピング部材。
（項目６）
上記ステープル保持表面は、環状である、上記項目のうちのいずれか一項に記載のシッピング部材。
（項目７）
上記第１および第２のアームの上記スナップ特徴は、半径方向に内方に延びている、上記項目のうちのいずれか一項に記載のシッピング部材。
（項目８）
上記基材は、円錐形の形状を含む、上記項目のうちのいずれか一項に記載のシッピング部材。
（項目９）
上記基材は、その中に形成されているスルーホールを含む、上記項目のうちのいずれか一項に記載のシッピング部材。
（項目１０）
上記第１および第２のレッグの上記タブは、平らな近位方向に向いている表面と傾斜のある遠位方向に向いている表面とを含む、上記項目のうちのいずれか一項に記載のシッピング部材。
（項目１１）
ローディングユニットであって、該ローディングユニットは、
ハウジングと、
該ハウジング内に動作可能に保持されているステープルプッシャーアセンブリと、
該ハウジング内に動作可能に保持されているナイフアセンブリと、
該ハウジングの遠位端に配置されているカートリッジアセンブリであって、該カートリッジアセンブリは、複数のステープルを含む、カートリッジアセンブリと、
該ハウジングに選択的に係合されているシッピング部材と
を含み、該シッピング部材は、
該複数のステープルを該ステープルカートリッジ内に維持するための該ステープルカートリッジに隣接して配置されている内側表面と、
該ナイフアセンブリを選択的に係合するように構成されている環状延長であって、該環状延長は、第１および第２のアームを含み、該第１および第２のアームは、該ハウジングを摩擦で係合するように構成されている、環状延長と、
第１および第２のレッグと
を含み、該第１および第２のレッグは、各々、そこから延びているタブを含み、該タブは、該ステープルプッシャーアセンブリを選択的に係合するように構成されている、ローディングユニット。
（項目１２）
上記第１および第２のレッグの上記タブは、平らな近位方向に向いている表面を含み、該平らな近位方向に向いている表面は、上記ステープルプッシャーアセンブリを選択的に係合するように構成されている、上記項目のうちのいずれか一項に記載のローディングユニット。
（項目１３）
上記ハウジングは、複数の開口部を規定する外側円筒形部分を含む、上記項目のうちのいずれか一項に記載のローディングユニット。
（項目１４）
上記シッピング部材の上記第１および第２のレッグの上記タブは、上記外側円筒形部分における上記開口部を通した受け取りのために構成されている、上記項目のうちのいずれか一項に記載のローディングユニット。
（項目１５）
上記延長の上記第１および第２のアームは、各々、スナップ特徴を含み、該スナップ特徴は、上記ハウジングの内側円筒形部分上に形成されているリッジを係合するように構成されている、上記項目のうちのいずれか一項に記載のローディングユニット。
（項目１６）
上記環状延長は、射出ポストをさらに含み、該射出ポストは、近位方向に向いている表面を含む、上記項目のうちのいずれか一項に記載のローディングユニット。
【００１０】
（摘要）
交換可能なローディングユニットに選択的に取り付けるためのシッピング部材が提供される。シッピング部材は、環状延長を含み、この環状延長は、ローディングユニットと選択的に係合するために構成され、ローディングユニットのナイフアセンブリの移動を防止するように構成されている。シッピング部材は、第１および第２のレッグをさらに含み、第１および第２のレッグは、ステープルプッシャーアセンブリの移動を防止するように構成されている。シッピング部材はまた、ステープル保持表面を含み、このステープル保持表面は、ローディングユニットのステープルカートリッジ内にステープルを保持するように構成されている。
【００１１】
本明細書中に組み込まれ、本明細書の一部を構成する添付の図面は、本開示の実施形態を例示し、上に与えられた本開示の概略的な説明および下に与えられる実施形態（複数可）の詳細な説明と一緒に、本開示の原理を説明するために役立つ。
【図面の簡単な説明】
【００１２】
【図１】図１は、交換可能なローディングユニット上に配置されている、本開示の実施形態に従うシッピング部材の斜視側面図である。
【図２】図２は、図１に示されるローディングユニットから分離されている、図１に示されるシッピング部材の斜視側面図である。
【図３】図３は、図１に示されるローディングユニットの断面側面図である。
【図４】図４は、ローディングユニットのハウジングが取り除かれている、図１に示されるシッピング部材およびローディングユニットの斜視側面図である。
【図５】図５は、図１に示されるローディングユニットのハウジングの斜視上面図である。
【図６】図６は、図１に示されるシッピング部材の斜視側面図である。
【図７】図７は、図６に示されるシッピング部材の斜視底面図である。
【図８】図８は、図６に示される線８−８に沿って得られる断面側面図である。
【図９】図９は、図６に示される線９−９に沿って得られる断面側面図である。
【図１０】図１０は、ステープルプッシャーアセンブリおよびナイフアセンブリが取り除かれている、図１に示されるシッピング部材およびローディングユニットの斜視断面側面図である。
【図１１】図１１は、図１に示されるシッピング部材およびローディングユニットの斜視断面側面図である。
【図１２】図１２は、本開示の代替の実施形態に従うシッピング部材の斜視側面図である。
【図１３】図１３は、図１２に示されるシッピング部材の斜視底面図である。
【図１４】図１４は、ローディングユニット上に選択的に配置されている、図１２に示されるシッピング部材の斜視側面図である。
【図１５】図１５は、図１４に示される線１５−１５に沿って得られるシッピング部材およびローディングユニットの断面図である。
【図１６】図１６は、交換可能なローディングユニット上に配置されている、本開示の別の実施形態に従うシッピング部材の斜視側面図である。
【図１７】図１７は、図１６に示されるシッピング部材の斜視側面図である。
【図１８】図１８は、図１６に示されるシッピング部材の斜視端面図である。
【図１９】図１９は、部品が分離されている、図１６に示されるシッピング部材、および図１６に示されるローディングユニットのナイフアセンブリの斜視側面図である。
【図２０】図２０は、部品が取り付けられている、図１９に示されるシッピング部材およびナイフアセンブリの斜視側面図である。
【図２１】図２１は、図１６に示されるシッピング部材およびローディングユニットの断面側面図である。
【図２２】図２２は、交換可能なローディングユニット上に配置されている、本開示のさらに別の実施形態に従うシッピング部材の斜視側面図である。
【図２３】図２３は、図２２に示されるシッピング部材の斜視側面図である。
【図２４】図２４は、図２２に示されるシッピング部材の斜視端面図である。
【発明を実施するための形態】
【００１３】
詳細な説明
次に、本開示のシッピング部材の実施形態が、図面を参照して詳細に記載され、図面において、類似の参照数字は、数枚の図の各々において、同一の要素または対応する要素を表す。当該分野において一般的であるように、用語「近位」は、ユーザーまたは操作者、すなわち、外科医または臨床医により近い部分または構成要素を指し、他方、用語「遠位」は、ユーザーからより遠くに離れた部分または構成要素を指す。
【００１４】
次に図１〜図３を参照すると、本開示の実施形態に従うシッピング部材が、全体的にシッピングキャップ１００として示されている。シッピングキャップ１００は、ローディングユニット１０の遠位端において選択的に受け取られるように構成され、ローディングユニット１０の遠位端に配置されているステープルカートリッジ４０内にステープル「Ｓ」（図３）を維持するように働く。シッピングキャップ１００はまた、ステープル留めデバイス（示されない）の作動ユニット（示されない）、またはステープル留めデバイスの作動ユニットに接続されているアダプターアセンブリ（示されない）へのローディングユニット１０の取り付け前または取り付け中に、ステープルプッシャーアセンブリ３０（図３）およびナイフアセンブリ５０（図３）の早すぎる前進を防止するように働く。
【００１５】
次に図２〜図５を参照すると、シッピングキャップ１００との使用のために適している交換可能なローディングユニットの実施形態が、全体的にローディングユニット１０として示されている。本開示の局面は、ローディングユニット１０との使用のために示され、記載されているが、他の構成を有するローディングユニットとの使用のために改変され得ることが想定される。ローディングユニット１０は、ステープル留めデバイス（示されない）の作動ユニット（示されない）のシャフト（示されない）の遠位端において、またはローディングユニット１０をステープル留めデバイスと相互接続するように構成されているアダプターアセンブリ（示されない）において、選択的に受け取られるように構成されている。ローディングユニット１０は、動力式作動ユニット（示されない）との使用のために想定されているが、ローディングユニット１０は、手動により作動される作動ユニット（示されない）との使用のために改変され得る。ローディングユニット１０は、本開示の局面を完全に開示するために必要な程度まで記載されるのみである。例示的なローディングユニットのより詳細な記載について、共有に係る米国特許出願公開第２０１３／０１８１０３５号（その内容は、その全体が本明細書中に参考として援用される）を参照のこと。
【００１６】
手短に言えば、ローディングユニット１０は、ハウジング２０と、ステープルプッシャーアセンブリ３０と、ステープルカートリッジ４０と、ナイフアセンブリ５０（図３）とを含む。図５を特に参照すると、ローディングユニット１０のハウジング２０は、外側円筒形部分２２と、内側円筒形部分２４と、複数の半径方向に延びている支持またはリブ２６とを含み、複数の半径方向に延びている支持またはリブ２６は、内側円筒形部分２４と外側円筒形部分２２との間に延び、内側円筒形部分２４と外側円筒形部分２２とを相互接続している。ハウジング２０の近位端は、作動ユニット（示されない）への選択的な接続のために構成されている。ハウジング２０の内側円筒形部分２４および外側円筒形部分２２は、同軸であり、それらの間に凹部２３を規定し、この凹部２３は、ステープルプッシャーアセンブリ３０（図３）およびナイフアセンブリ５０（図３）を動作可能に受け取るように構成されている。外側円筒形部分２２は、複数の開口部２５を規定する。さらに詳細に下で議論されるように、外側円筒形部分２２における開口部２５は、シッピングキャップ１００の一部分を選択的に受け取るように構成されている。外側円筒形部分２２は、４つの開口部２５を含むことが示されているが、外側円筒形部分２２は、任意の数の開口部２５を規定し得ることが想定される。内側円筒形部分２４は、長手方向の溝２７を規定し、長手方向の溝２７は、各々、リッジ２８を含む。溝２７は、数および場所において、外側円筒形部分２２に形成されている開口部２５に対応している。さらに詳細に下に記載されるように、リッジ２８は、ローディングユニット１０とのシッピングキャップ１００の選択的な係合を容易にする。
【００１７】
引き続き図２〜図４を参照すると、ステープルプッシャーアセンブリ３０は、プッシャーアダプター３２とプッシャー３４とを含む。ステープルプッシャーアセンブリ３０のプッシャーアダプター３２は、複数の開口部３５を規定し、開口部３５の各々の中に近位方向に延びているフィンガー３６を含む。開口部３５およびフィンガー３６は、数および場所において、ハウジング２０の外側円筒形部分２２に形成されている開口部２５に対応している。プッシャーアダプター３２が、近位位置または発射前の位置にある場合、フィンガー３６の各々に形成されている半径方向に外方に延びているタブ３６ａは、外側円筒形部分２２に形成されている開口部２５内に受け取られ、外側円筒形部分２２を係合することにより、プッシャーアダプター３２を発射前の位置に選択的に固定する。ステープル留め行程中、作動ユニット（示されない）の駆動機構（示されない）は、プッシャーアダプター３２に力を適用して、タブ３６ａを円筒形部分２２から係合解除し、プッシャー３４の遠位方向の前進をもたらす。プッシャー３４は、複数のプッシャー部材３８（図３）を含み、複数のプッシャー部材３８は、ステープルカートリッジ４０のステープルポケット４１内に受け取られているステープル「Ｓ」と整列している。ステープルカートリッジ４０に対するプッシャー３４の前進は、ステープルカートリッジ４０からのステープル「Ｓ」の射出をもたらす。ナイフアセンブリ５０（図３）は、ナイフキャリアー５２と円形ナイフ５４とを含む。キャリアー５２の遠位方向の前進は、円形ナイフ５４を前進させることにより、ステープルカートリッジ４０に隣接し、ステープルカートリッジ４０のステープル線内に配置されている組織の切断（示されない）をもたらす。
【００１８】
次に図６〜図９を参照すると、シッピングキャップ１００は、基材１１０と、基材１１０から近位方向に延びている環状延長またはステム１２０と、第１のレッグ１６０および第２のレッグ１７０とを含み、第１のレッグ１６０および第２のレッグ１７０は、環状延長１２０から半径方向に間隔が空けられ、基材１１０から近位方向に延びている。１部品の構築であるように、すなわち、一体的または一体式に形成されているように示されているが、基材１１０、環状延長１２０、ならびに第１のレッグ１６０および第２のレッグ１７０のうちの任意のもの、または全ては、独立して形成され得、接着剤、溶接を用いて、または任意の他の適切な態様で一緒に固定され得ることが想定される。
【００１９】
示されるように、基材１１０は、円形の形状を有する実質的に平らな本体または平面の本体を含む。基材１１０は、円形の形状を有することが示されているが、基材１１０は、ローディングユニット１０（図１）の断面の形状に対応する任意の形状を含み得ることが想定される。基材１１０は、ローディングユニット１０からのシッピングキャップ１００の除去を容易にするように構成され得ることがさらに想定される。基材１１０のステープル保持表面１１２（図８）は、環状延長１２０と、第１のレッグ１６０および第２のレッグ１７０との間に形成され、基材１１０のステープル保持表面１１２は、シッピングキャップ１００がローディングユニット１０の遠位端に受け取られた場合、ローディングユニット１０のステープルカートリッジ４０に当接することにより、ローディングユニット１０の移送およびステープル留めデバイス（示されない）の作動ユニット（示されない）への取り付け中、ステープルカートリッジ４０のステープルポケット４１内にステープル「Ｓ」を保持するように構成されている。ステープル保持表面１１２は、ステープルカートリッジ４０の形状に対応するために環状であることが示されているが、ステープル保持表面１１２は、他の構成のステープルカートリッジに対応するために改変され得ることが想定される。
【００２０】
依然として図６〜図９を参照すると、シッピングキャップ１００の環状延長１２０は、円筒形の本体１２２と、第１のアーム１３０および第２のアーム１４０と、射出ポスト１５０とを含む。第１のアーム１３０および第２のアーム１４０は、円筒形の本体１２２の一体的な部分として形成され、射出ポスト１５０は、円筒形の本体１２２内で近位方向に延びている。示されるように、環状延長１２０は、基材１１０と同軸で形成されている。さらに詳細に下で議論されるように、環状延長１２０は、ハウジング２０の外側円筒形部分２２（図５）と内側円筒形部分２４（図５）との間で、ハウジング２０の内側円筒形部分２４の遠位端の周りに、ローディングユニット１０のハウジング２０の遠位端内に選択的に受け取られるように構成されている。
【００２１】
第１のアーム１３０および第２のアーム１４０の各々は、環状延長１２０に形成されている１対の切り抜き１３１、１４１（図６および図７）によって形成されている。第１のアーム１３０および第２のアーム１４０の各々は、環状延長１２０の円筒形の本体１２２に対して半径方向に外方に曲げられるように構成され、スナップ特徴１３２、１４２をそれぞれ含み、スナップ特徴１３２、１４２は、第１のアーム１３０および第２のアーム１４０のそれぞれの近位端に形成されている。スナップ特徴１３２、１４２は、それぞれの第１の内部アーム１３０および第２の内部アーム１４０から半径方向に内方に突出している。スナップ特徴１３２、１４２は、環状リッジ２８（図５）を係合するように構成されており、この環状リッジ２８は、ローディングユニット１０のハウジング２０の内側円筒形部分２４によって規定される長手方向の溝２７内に形成されている。射出ポスト１５０は、環状延長１２０内に同軸で配置され、近位端１５２を含み、この近位端１５２は、ローディングユニット１０からのシッピングキャップ１００の取り外しを容易にするために、作動ユニット（示されない）の保持ピン６０（図３）によって係合されるように構成されている。近位端１５２は、凹面のプロフィールを有し得る。
【００２２】
依然として図６〜図８を参照すると、シッピングキャップ１００の第１のレッグ１６０および第２のレッグ１７０は、基材１１０の両側から近位方向に延び、ローディングユニット１０（図４）のハウジング２０を選択的に係合するように構成されている。シッピングキャップ１００は、２つのレッグ１６０、１７０を有することが示されているが、シッピングキャップ１００は、２つより多くのレッグを含み得ることが想定される。第１のレッグ１６０および第２のレッグ１７０は、実質的に同一であり、各々は、それぞれ、細長い部分１６２、１７２を含む。細長い部分１６２の遠位端１６２ａおよび細長い部分１７２の遠位端１７２ａは、基材１１０に接続されている。さらに詳細に下に記載されるように、第１のレッグ１６０および第２のレッグ１７０は、基材１１０に対して半径方向に外方に曲がるように構成されている。第１のレッグ１６０および第２のレッグ１７０は、基材１１０と一体的に形成されていることが示されているが、第１のレッグ１６０および第２のレッグ１７０は、任意の適切な態様で基材１１０に固定され得ることが想定される。
【００２３】
細長い部分１６２の第２の端１６２ｂおよび細長い部分１７２の第２の端１７２ｂは、各々、タブまたは係合部材１６４、１７４を含む。タブ１６４、１７４は、細長い部分１６２、１７２のそれぞれの第２の端１６２ｂ、１７２ｂから半径方向に内方にそれぞれ延びており、ローディングユニット１０（図３）のハウジング２０の外側円筒形部分２２に形成されている開口部２５を通って、ステープルプッシャーアセンブリ３０（図３）のプッシャーアダプター３２に形成されている開口部３５内に受け取られるように構成されている。プッシャーアダプター３２とのタブ１６４、１７４の係合は、プッシャーアダプター３２の遠位方向の移動を防止する。特に、タブ１６４、１７４は、平らな近位方向に向いている表面１６４ａ、１７４ａを含み、平らな近位方向に向いている表面１６４ａ、１７４ａは、プッシャーアダプター３２を係合するように構成されている。タブ１６４の傾斜のある、またはウェッジ形状の遠位方向に向いている表面１６４ｂ、およびタブ１７４の傾斜のある、またはウェッジ形状の遠位方向に向いている表面１７４ｂは、ハウジング２０の外側円筒形部分１２２における開口部２５内からのそれぞれのタブ１６４、１７４の引き抜きを容易にするために構成されている。上で言及されるように、第１のレッグ１６０の細長い部分１６２および第２のレッグ１７０の細長い部分１７２は、ハウジング２０の外側円筒形部分１２２に形成されている開口部２５内でのタブ１６４、１７４の位置決めを容易にするために、およびハウジング２０の外側円筒形部分１２２に形成されている開口部２５内からのタブ１６４、１７４の引き抜きを容易にするために、基材１１０に対して半径方向に外方に曲がるように構成されている。
【００２４】
次に図１０および図１１を参照すると、シッピングキャップ１００は、ローディングユニット１０の遠位端に選択的に受け取られているか、または取り付けられていることが示されている。シッピングキャップ１００は、ローディングユニット１０とのシッピングキャップ１００の摩擦係合を通して、ローディングユニット１０の遠位端に受け取られる。特に、シッピングキャップ１００は、第１のレッグ１６０および第２のレッグ１７０がローディングユニット１０のハウジング２０の外側円筒形部分２２に形成されている開口部２５と整列し、環状延長１２０がローディングユニット１０のハウジング２０の内側円筒形部分２４と整列するように、ローディングユニット１０に対して位置決めされる。次に、第１のレッグ１６０および第２のレッグ１７０は、環状延長１２０がローディングユニット１０の遠位端内に受け取られるようにシッピングキャップ１００がローディングユニット１０向かって接近させられるにつれて、第１および第２のレッグがハウジング２０の外側円筒形部分２２の周りに受け取られることを可能にするように、半径方向に外方に曲げられる。
【００２５】
ローディングユニット１０のハウジング２０の外側円筒形部分２２に形成されている開口部２５とのシッピングキャップ１００の第１のレッグ１６０および第２のレッグ１７０の整列は、環状延長１２０の第１のアーム１３０および第２のアーム１４０に形成されているスナップ特徴１３２、１４２が、ローディングユニット１０のハウジング２０の内側円筒形部分２４に形成されている長手方向の溝２７と整列することを確実にする。ローディングユニット１０に向かうシッピングキャップ１００の引き続きの接近は、シッピングキャップ１００の第１のレッグ１６０に形成されているタブ１６４およびシッピングキャップ１００の第２のレッグ１７０に形成されているタブ１７４が、ローディングユニット１０のハウジング２０の外側円筒形部分２２に形成されている開口部２５内に受け取られることをもたらし、シッピングキャップ１００の環状延長１２０の第１のアーム１３０および第２のアーム１４０に形成されているスナップ特徴１３２、１４２が、ローディングユニット１０のハウジング２０の内側円筒形部分２４に形成されているリッジ２８を係合することをもたらす。
【００２６】
シッピングキャップ１００がローディングユニット１０の遠位端に受け取られる場合、シッピングキャップ１００の環状延長１２０は、ローディングユニット１０のハウジング２０内でハウジング２０の内側円筒形部分２４の周りに受け取られる。特に、環状延長１２０は、ローディングユニット１０のハウジング２０の内側円筒形部分２４の周りに配置され、シッピングキャップ１００の基材１１０の内側表面１１２は、ローディングユニット１０のステープルカートリッジ４０のステープルポケット４１に隣接して配置され、環状延長１２０の射出ポスト１５０は、ローディングユニット１０のハウジング２０の内側円筒形部分２４内に受け取られ、環状延長１２０は、ローディングユニット１０のナイフキャリアー５２（図３）を係合し、環状延長１２０のそれぞれの第１のアーム１３０および第２のアーム１４０に形成されているスナップ特徴１３２、１４２は、ローディングユニット１０のハウジング２０の内側円筒形部分２４に形成されているリッジ２８を係合する。
【００２７】
ステープルカートリッジ４０のステープルポケット４１に隣接した基材１１０の内側表面１１２の位置決めは、ステープル「Ｓ」（図１１）が、ローディングユニット１０のステープルカートリッジ４０のステープルポケット４１内に維持され、それにより、ステープル「Ｓ」が、ローディングユニット１０の移送およびステープル留めデバイス（示されない）の作動ユニット（示されない）への取り付け中に移動させられることを防止することを確実にする。ローディングユニット１０のナイフキャリアー５２とのシッピングキャップ１００の環状延長１２０の係合は、ナイフキャリアー５２の遠位方向の前進を防止し、それにより、ナイフキャリアー５２が、作動ユニット（示されない）の駆動機構（示されない）との（またはアダプターアセンブリ（示されない）に対する）整列のための適切な位置に維持されること、または作動ユニットもしくはアダプターアセンブリへのローディングユニット１０の取り付け前および取り付け中、適切な位置に維持されることを確実にする。ローディングユニット１０のハウジング２０の内側円筒形部分２４に形成されているリッジ２８との、シッピングキャップ１００の環状延長１２０の第１のアーム１３０のスナップ特徴１３２および第２のアーム１４０のスナップ特徴１４２の係合は、シッピングキャップ１００とローディングユニット１０とを摩擦で固定する。
【００２８】
図３および図４に戻って目を向けると、シッピングキャップ１００がローディングユニット１０の遠位端に受け取られる場合、シッピングキャップ１００の第１のレッグ１６０および第２のレッグ１７０は、ローディングユニット１０のハウジング２０の外側円筒形部分２２の周りに受け取られ（すなわち、またがり）、その結果、第１のレッグ１６０のタブ１６４および第２のレッグ１７０のタブ１７４は、ローディングユニット１０のハウジング２０の外側円筒形部分２２に形成されている開口部２５内、およびローディングユニット１０のステープルプッシャーアセンブリ３０のプッシャーアダプター３２の開口部３５内に受け取られる。シッピングキャップ１００の第１のレッグ１６０のタブ１６４およびシッピングキャップ１００の第２のレッグ１７０のタブ１７４が、ローディングユニット１０のハウジング２０の外側円筒形部分２２の開口部２５内、およびローディングユニット１０のステープルプッシャーアセンブリ３０のプッシャーアダプター３２の開口部３５内に受け取られている場合、プッシャーアダプター３２との、第１のレッグ１６０のタブ１６４の近位方向に向いている表面１６４ａ、および第２のレッグ１７０のタブ１７４の近位方向に向いている表面１７４ａの係合は、プッシャーアダプター１３２の遠位方向の前進を防止する。これは、作動ユニットへのローディングユニット１０の取り付け前または取り付け中に、プッシャーアダプター３２が、作動ユニット（示されない）の駆動機構（示されない）、またはアダプターアセンブリ（示されない）との整列のための適切な位置に維持されることを確実にする。
【００２９】
上で議論されるように、シッピングキャップ１００は、ローディングユニット１０がステープル留めデバイス（示されない）の作動ユニット（示されない）またはアダプターアセンブリ（示されない）に固定されるまで、ローディングユニット１０の遠位端に固定されたままである。ローディングユニット１０が作動ユニットまたはアダプターアセンブリに適切に固定されると、ステープル留めデバイスは、自動的に、または手動で作動させられることにより、ステープル留めデバイスの保持ピン６０（図１１）を前進させ、シッピングキャップ１００の射出ポスト１５０の近位表面１５２を係合する。保持ピンまたはトロカール先端６０による射出ポスト１５０の係合は、シッピングキャップ１００が、ローディングユニット１０に対して遠位方向に移動させられることをもたらす。ローディングユニット１０に対するシッピングキャップ１００の遠位方向の移動は、シッピングキャップ１００の環状延長１２０の第１のアーム１３０のスナップ特徴１３２およびシッピングキャップ１００の環状延長１２０の第２のアーム１４０のスナップ特徴１４２がローディングユニット１０のハウジング２０の内側円筒形部分２４のリッジ２８から係合解除することをもたらし、それにより、シッピングキャップ１００をローディングユニット１０との係合から解放し、ローディングユニット１０からのシッピングキャップ１００の分離を可能にする。
【００３０】
１つの実施形態において、ローディングユニット１０は、チップ（例えば、ＥＰＲＯＭチップ）を含み、このチップは、ローディングユニット１０を作動ユニットに対して識別すること、ローディングユニット１０がシッピングキャップ１００を含むという信号およびローディングユニット１０が作動ユニットに適切に固定されているという信号を作動ユニットに送ること、ならびに保持ピン６０がシッピングキャップ１００をローディングユニット１０から分離するように、保持ピン６０の前進を作動させることを行うように構成されている。代替の実施形態において、ローディングユニット１０が作動ユニットに適切に固定されると、保持ピン６０は、ユーザーによって手動で前進させられることにより、シッピングキャップ１００をローディングユニット１０から分離し得る。
【００３１】
上に記載されるように、ローディングユニット１０に対するシッピングキャップ１００の遠位方向の移動は、ローディングユニット１０のステープルプッシャーアセンブリ３０のプッシャーアダプター３２の開口部３５内から、およびローディングユニット１０のハウジング２０の外側円筒形部分２２の開口部２５内からの、シッピングキャップ１００の第１のレッグ１６０のタブ１６４およびシッピングキャップ１００の第２のレッグ１７０のタブ１７４の引き抜きをもたらす。特に、シッピングキャップ１００がローディングユニット１０に対して遠位方向に移動させられる場合、第１のレッグ１６０のタブ１６４の傾斜のある表面１６４ｂおよび第２のレッグ１７０のタブ１７４の傾斜のある表面１７４ｂは、プッシャーアダプター３２およびハウジング２０の外側円筒形部分２２を係合し、それにより、第１のレッグ１６０および第２のレッグ１７０が半径方向に外方に曲がることをもたらす。第１のレッグ１６０および第２のレッグ１７０が半径方向に外方に曲がる場合、シッピングキャップ１００の第１のレッグ１６０の近位端１６２ａに形成されているタブ１６４、およびシッピングキャップ１００の第２のレッグ１７０近位端１７２ａに形成されている１７４は、ローディングユニット１０のハウジング２０の外側円筒形部分２２の開口部２５内から引き抜かれ、ローディングユニット１０のステープラープッシャーアセンブリ３０のプッシャーアダプター３２の開口部３５内から引き抜かれる。シッピングキャップ１００の引き続きの遠位方向の移動は、ローディングユニット１０からのシッピングキャップ１００の分離をもたらす。シッピングキャップ１００がローディングユニット１０から分離されると、ステープル留めデバイスは、慣習的な態様で使用され得る。
【００３２】
次に図１２〜図１５を参照すると、本開示の代替の実施形態に従うシッピング部材が、全体的にシッピングキャップ２００として示されている。シッピングキャップ２００は、構造および機能において、上に記載されるシッピングキャップ１００と実質的に同様であり、それらの間の違いに関してのみが記載される。シッピングキャップ２００は、ローディングユニット１０に選択的に固定されるように構成されている。
【００３３】
シッピングキャップ２００は、基材２１０と、基材２１０から近位方向に延びている環状延長２２０と、基材２１０から近位方向に延びている第１のレッグ２６０および第２のレッグ２７０とを含む。シッピングキャップ２００の基材２１０は、患者（示されない）の管腔（示されない）の中への非外傷性の挿入のために構成されている。示されるように、基材２１０は、実質的に円錐形の形状または外側プロフィールを含み、丸みのある遠位先端２１０ａを有する。基材２１０が、他の非外傷性の構成（例えば、半球）を有し得ることが想定される。
【００３４】
基材２１０は、その中に少なくとも１つのスルーホール２１１を規定する。スルーホール２１１は、縫合糸（示されない）、コード、またはシッピングキャップ２００を回収する他の手段を受け取るように構成されている。縫合糸は、作動ユニットへのローディングユニット１０の取り付け前にローディングユニット１０の送達または操作を容易にし、ローディングユニット１０からのシッピングキャップ２００の分離を容易にし、および／またはシッピングキャップ２００がローディングユニット１０から分離されると、患者内からのシッピングキャップ２００の除去を容易にするために使用され得る。
【００３５】
使用において、シッピングキャップ２００は、ローディングユニットに取り付けられ、ローディングユニット１０をステープル留めデバイス（示されない）の作動ユニット（示されない）に取り付けた後、ローディングユニット１０に取り付けられたままであり、ローディングユニット１０が患者の身体内に位置決めされる場合、ローディングユニット１０に取り付けられたままであることが想定される。
【００３６】
上で言及されるように、シッピングキャップ２００は、ローディングユニット１０の位置決めを容易にするように構成されている。特に、基材２１０の丸みのある円錐形の形状は、患者の組織の中への、患者の組織内での、および／または患者の組織を通した、ローディングユニット１０の非外傷性の挿入を可能にする。ステープル留めデバイスは、適切に位置決めされると、上に記載される態様で動作させられることにより、ローディングユニット１０からのシッピングキャップ２００の分離をもたらし得る。次に、シッピングキャップ２００は、シッピングキャップ２００の基材２１０に形成されているスルーホール２１１を用いてシッピングキャップ２００に取り付けられている縫合糸（示されない）を用いて、または任意の他の適切な手段によって患者内から除去され得る。
【００３７】
次に図１６〜図２１を参照すると、本開示の別の実施形態に従うシッピング部材が、全体的にシッピングキャップ３００として示されている。シッピングキャップ３００は、ローディングユニット１０’（図１６）との選択的な係合のために構成されている。シッピングキャップ３００およびローディングユニット１０’は、構造および機能において、上に記載されるシッピングキャップ１００、２００およびローディングユニット１０とそれぞれ実質的に同様であり、それらの間の違いに関してのみが記載される。
【００３８】
図１７および図１８を特に参照すると、シッピングキャップ３００は、基材３１０と、基材３１０から近位方向に延びている環状延長３２０と、基材３１０の外側終端エッジの半径方向に内方の場所において、基材３１０から近位方向に延びている第１のレッグ３６０および第２のレッグ３７０とを含む。基材３１０の内側表面またはステープル保持表面３１２は、第１のレッグ３６０および第２のレッグ３７０の半径方向に外方に形成されている。基材３１０の内側表面３１２は、シッピングキャップ３００がローディングユニット１０’の遠位端に受け取られた場合、ローディングユニット１０’のステープルカートリッジ４０’に当接することにより、ステープル「Ｓ」をステープルカートリッジ４０’のカートリッジポケット４１’内に維持するように構成されている。
【００３９】
環状延長３２０は、円筒形の本体３２２と、第１のアーム３３０および第２のアーム３４０とを含む。第１のアーム３３０および第２のアーム３４０の各々は、ローディングユニット１０’のハウジング２０’の内側円筒形部分２４’との選択的な摩擦係合のためのスナップ特徴３３２、３４２を含む。
【００４０】
依然として図１７および図１８を参照すると、シッピングキャップ３００の第１のレッグ３６０および第２のレッグ３７０は、シッピングキャップ３００の環状延長３２０の両側から近位方向に延びており、ローディングユニット１０’内に受け取られるように構成されている。この態様において、第１のレッグ３６０および第２のレッグ３７０は、ローディングユニット１０’内に含まれ、ローディングユニット１０’の移送および取り付け中に触れられることから保護され、それにより、ローディングユニット１０’からのシッピングキャップ３００の不注意な分離を防止する。
【００４１】
シッピングキャップ３００の第１のレッグ３６０および第２のレッグ３７０は、環状延長３２０と一体的に形成されていることが示されているが、シッピングキャップ３００の第１のレッグ３６０および第２のレッグ３７０は、環状延長３２０から独立して形成され得ることが想定される。シッピングキャップ３００の第１のレッグ３６０および第２のレッグ３７０は、第１のアーム３３０および第２のアーム３４０が曲がることを可能にするために、シッピングキャップ３００の環状延長３２０の第１のアーム３３０および第２のアーム３４０から半径方向にずれている。
【００４２】
さらに、シッピングキャップ３００は、環状延長３２０の両側に形成されている２つのレッグを有するように示されているが、シッピングキャップ３００は、単一のレッグのみ、または２つよりも多くのレッグを含み得ること、およびレッグが、任意の間隔で環状延長３２０の周りに放射状に配置され得ることが想定される。第１のレッグ３６０および第２のレッグ３７０の各々は、分岐した自由端３６２、３７２をそれぞれ含み、分岐した自由端３６２、３７２は、ローディングユニット１０’のステープルプッシャーアセンブリ３０’のプッシャーアダプター３２’を係合するために構成されている。
【００４３】
第１のレッグ３６０の自由端３６２および第２のレッグ３７０の自由端３７２は、分岐されていることが示されているが、第１のレッグ３６０の自由端３６２および第２のレッグ３７０の自由端３７２は、中実部材を形成し得るか、または他の方法で、ローディングユニット１０’のステープルプッシャーアセンブリ３０’のプッシャーアダプター３２’との係合のために適切に構成され得ることが想定される。ローディングユニット１０’のステープルプッシャーアセンブリ３０’のプッシャーアダプター３２’とのシッピングキャップ３００の第１のレッグ３６０および第２のレッグ３７０の係合は、プッシャーアダプター３２’の遠位方向の前進を防止する。
【００４４】
図１９に手短に目を向けると、ナイフアセンブリ５０’のナイフキャリアー５２’は、切り抜き５５を規定する。切り抜き５５は、サイズおよび場所が、シッピングキャップ３００の第１のレッグ３６０および第２のレッグ３７０に対応し、シッピングキャップ３００がローディングユニット１０’（図１６）に選択的に固定される場合、切り抜き５５を通してシッピングキャップ３００の第１のレッグ３６０および第２のレッグ３７０を受け取るように構成されている。
【００４５】
次に図２０および図２１を参照すると、ローディングユニット１０’に固定されているシッピングキャップ３００が示されている。特に、シッピングキャップ３００の環状延長３２０は、ローディングユニット１０’のハウジング２０’の外側円筒形部分２２’と内側円筒形部分２４’との間で、ハウジング２０’の内側円筒形部分２４’の周りに受け取られている。シッピングキャップ３００の環状延長３２０の近位端は、ナイフアセンブリ５０’のナイフキャリアー５２’を係合し、それにより、ローディングユニット１０’からのシッピングキャップ３００の分離前の、ナイフキャリアー５２’の遠位方向の移動を防止する。シッピングキャップ３００の第１のレッグ３６０の自由端３６２および第２のレッグ３７０の自由端３７２は、ローディングユニット１０’のステープルプッシャーアセンブリ３０’のプッシャーアダプター３２’を係合し、それにより、ローディングユニット１０’からのシッピングキャップ３００の分離前の、プッシャーアダプター３２’の移動を防止する。
【００４６】
次に図２２〜図２４を参照すると、本開示のさらに別の実施形態に従うシッピング部材が、全体的にシッピングキャップ４００として示されている。シッピングキャップ４００は、構造および機能において、上に記載されるシッピングキャップ２００、３００と実質的に同様であり、それらの間の違いに関してのみが記載される。
【００４７】
シッピングキャップ４００は、基材４１０と、基材４１０から近位方向に延びている環状延長４２０と、基材４１０から近位方向に延びている第１のレッグ４６０および第２のレッグ４７０とを含む。シッピングキャップ４００の基材４１０は、患者（示されない）の管腔（示されない）の中への非外傷性の挿入のために構成されている。示されるように、基材４１０は、実質的に円錐形の形状または外側プロフィールを含み、丸みのある遠位先端４１０ｂを有する。
【００４８】
本明細書中に開示される実施形態の各々において、ステープル留め装置は、円形の列で配置されている外科手術ステープルを有し得、列は、いくつかの他の弓形の形状、線形の形状、または他の形状を有する。本明細書中に開示される実施形態のうちの任意のものにおいて、スナップ特徴は、他の取り付け特徴（例えば、差し込みピン、ラッチなど）と置換され得る。
【００４９】
基材２１０は、その中にスルーホール４１１を規定する。スルーホール４１１は、縫合糸（示されない）、コード、またはシッピングキャップ４００を回収する他の手段を受け取るように構成されている。
【００５０】
本開示の例示的実施形態は、添付の図面を参照して本明細書中に記載されてきたが、本開示は、それらの正確な実施形態に限定されないこと、ならびに様々な他の変更および改変が、本開示の範囲または趣旨から外れることなく、当業者によってその中で達成され得ることが理解されるべきである。例えば、シッピングキャップ１００、２００、３００、または４００のうちの任意のものは、上で議論されるように、縫合糸とともに使用され得、縫合糸のための開口部または穴を含み得る。シッピングキャップは、ステープル留めデバイス内の機構（例えば、トロカール）と相互作用し得る。シッピングキャップの基材は、本明細書中に開示される実施形態のうちの任意のものにおいて、本質的に平ら、本質的に円錐形もしくは先細、または湾曲／半球であり得る。
【図１】
2015128582.tif 000003
【図２】
2015128582.tif 000004
【図３】
2015128582.tif 000005
【図４】
2015128582.tif 000006
【図５】
2015128582.tif 000007
【図６】
2015128582.tif 000008
【図７】
2015128582.tif 000009
【図８】
2015128582.tif 000010
【図９】
2015128582.tif 000011
【図１０】
2015128582.tif 000012
【図１１】
2015128582.tif 000013
【図１２】
2015128582.tif 000014
【図１３】
2015128582.tif 000015
【図１４】
2015128582.tif 000016
【図１５】
2015128582.tif 000017
【図１６】
2015128582.tif 000018
【図１７】
2015128582.tif 000019
【図１８】
2015128582.tif 000020
【図１９】
2015128582.tif 000021
【図２０】
2015128582.tif 000022
【図２１】
2015128582.tif 000023
【図２２】
2015128582.tif 000024
【図２３】
2015128582.tif 000025
【図２４】
2015128582.tif 000026